(57)【要約】【課題】  ねじの締め付けに必要な時間と労力を著しく軽減するとともに、部品点数や取り付けの手間をかけることなく緩み止め効果を発揮し得るようにする。【解決手段】  コンクリートに埋設ないし植設して使用するインサート部材１１及びインサート部材１１と螺合可能な相手部材１２と、インサート部材１１及び相手部材１２に形成された１ピッチの間に複数条のねじらせん１５、１６を有する多条ねじから成る雌ねじ１３、雄ねじ１４を有しており、雌ねじ１３と雄ねじ１４の螺合の過程において、食い込み力が発生することによる緩み止め手段を有するものとする。【選択図】          図１
2006249836.tif 000002
【特許請求の範囲】
【請求項１】
コンクリートに埋設ないし植設して使用するインサート部材及びインサート部材と螺合可能な相手部材と、インサート部材及び相手部材に形成された１ピッチの間に複数条のねじらせんを有する多条ねじから成る雌ねじ、雄ねじを有しており、雌ねじと雄ねじの螺合の過程において、食い込み力が発生することによる緩み止め手段を有することを特徴とするコンクリート用インサート。
【請求項２】
緩み止め手段として、雌ねじと雄ねじのどちらか一方の多条ねじのねじらせんについて、少なくとも２条のねじらせんの軸線を左右にずらせ、かつその内の雌ねじのねじらせんをねじ込み方向に向かってねじ径が次第に小径となるテーパーねじとし、雄ねじの多条ねじについてはねじらせんの軸線を全部一致させるものとした請求項１記載のコンクリート用インサート。
【請求項３】
緩み止め手段として、多条ねじから成る雌ねじの導入口からねじ込み方向へ向かってねじ径が次第に小径となるテーパーねじを有するものとした請求項１記載のコンクリート用インサート。
【請求項４】
緩み止め手段として、雌ねじの導入口の外側にテーパー凹部を形成し、雄ねじ側には、基部にテーパー凸部を形成し、テーパー凹部と凸部の接触により交叉方向の力が発生するようにどちらかに扁心部を形成した請求項１記載のコンクリート用インサート。
【発明の詳細な説明】
【技術分野】
【０００１】
本発明はコンクリートに埋設ないし植設して使用するボルト類、ナット類を含むインサートに関するものである。
【背景技術】
【０００２】
コンクリートに埋設されたインサートに設けられているねじは、他の多くの場合と同様に１条ねじで構成されている。その理由は幾つか考えることができるけれどもどれも決定的な理由ではない。これに対して、１条ねじは製造しやすく一般的である反面、ねじ込みのために時間と労力がかかり、それを解消するためにインパクトレンチなどの動力工具により作業を行うのが普通になっている。例えば特開２００１−３１１２２２号に見られるアンカー部とボルトの雌ねじ、雄ねじは１条ねじから成ると考えられるが、１条であることを説明しない方がむしろ普通であり、それほど常識化している。
【０００３】
ところがインパクトレンチでインサートを型枠にセットすると余分な力が加わり易く、型枠の寿命を縮め、時には事故を起こす一因になっていた。また最近インパクトレンチによるボルト締めを原因とする死亡事故が何件か発生していることが報告された。それらの事故は、コンクリートに埋設された合成樹脂製のインサートナットに鋼製ボルトをインパクトレンチを用いてねじ込む作業において発生したもので、インパクトレンチの強力な締め付けトルクが原因と考えられ、監督官庁は手回しによる作業を勧告したと伝えられている。このため手作業では時間と労力が厖大となり問題である。
【０００４】
【特許文献１】特開２００１−３１１２２２号
【発明の開示】
【発明が解決しようとする課題】
【０００５】
本発明は前記の点に着目してなされたもので、その課題は、ねじの締め付けに必要な時間と労力を著しく削減するとともに、部品点数や取り付けの手間をかけることなく緩み止め効果を発揮し得るようにすることである。また本発明の他の課題は、インパクトレンチを使用してもしなくても能率良くしかも安全にねじの締め付け作業を行えるようにすることである。
【課題を解決するための手段】
【０００６】
前記の課題を解決するため、本発明は、コンクリートに埋設ないし植設して使用するインサート部材及びインサート部材と螺合可能な相手部材と、インサート部材及び相手部材に形成された１ピッチの間に複数条のねじらせんを有する多条ねじから成る雌ねじ、雄ねじを有しており、雌ねじと雄ねじの螺合の過程において、食い込み力が発生することによる緩み止め手段を有するものとするという構成を具備している。
【０００７】
インサート部材と相手部材は互いに螺合する部材であり、例えばナットとボルトであるが、このナットとボルトに形成される雌ねじ、雄ねじを複数条のねじらせんによって形成したものとするのが、本発明の構成における一つの特徴である。複数条のねじらせんから成るねじは多条ねじと呼ばれ、ねじを締め付けるために回す手間が条数分の１に減るた
め、１条ねじに比べて２条ねじは２分の１の手間で、また３条ねじでは３分の１の手間
で、必要なねじの締め緩め作業が済むことになる。従って、インパクトレンチを使用しなくてもねじ締め作業の能率を向上することができる。しかしまたインパクトレンチの使用を禁止する理由もない。
【０００８】
さらに本発明は、多条ねじから成る雌ねじと雄ねじの螺合の過程において、ねじらせんの軸線に対して交叉方向の力が発生する構成とし、それによって緩め止め手段とする。軸線に対して交叉方向の力が発生するということは、締め付けトルクが増大するということである。即ち、本発明は多条ねじをねじ止め等のために回す回数を減らし、それに緩み止め手段によるトルク増大という構成を加えることによって、課題の解決を図るものであ
る。このため、インパクトレンチによる締め付けトルクにも耐える余地が増す。
【０００９】
上記の緩み止め手段として、雌ねじと雄ねじのどちらか一方の多条ねじのねじらせんについて、少なくとも２条のねじらせんの軸線を左右にずらせ、かつその内の雌ねじのねじらせんをねじ込み方向に向かってねじ径が次第に小径となるテーパーねじとし、雄ねじの多条ねじについてはねじらせんの軸線を全部一致させるという構成を取ることができる（図１参照）。多条ねじが１本のねじらせんだけでつながっているのではなく、複数条のねじらせんから成立していることを利用したもので、少なくとも２条のねじらせんの２個（個々）の軸線を左右にずらせ（平行移動し）、かつその内の一方のねじらせんをねじ込み方向に向かってねじ径が次第に小径となるテーパーねじとする。多条ねじであることによりねじの締め付け作業能率が改善され、２個の軸線をずらすことによりねじらせんの軸線に対して交叉方向の力が発生するので、締め付けトルク増大に伴い徐々にねじ山が潰される傾向となり緩み止めが形成される。
【００１０】
また、緩み止め手段として、多条ねじから成る雌ねじの導入口からねじ込み方向へ向かってねじ径が次第に小径となるテーパーねじを有するという構成を取ることもできる（図２参照）。この構成は、２条のねじらせんの軸線を左右にずらせる構成を必要としない点で前記の例１と異なり、また、テーパーねじを雌ねじ側に限定している点も前記の例と異なっている。このような限定を加えることにより、実施がより容易なものとなり、ねじらせんの軸線に対して交叉方向の力が発生するので、締め付けトルク増大に伴い徐々にねじ山が潰される傾向となり緩み止めが形成される。
【００１１】
また、緩み止め手段として、雌ねじの導入口の外側にテーパー凹部を形成し、雄ねじ側には、基部にテーパー凸部を形成し、テーパー凹部と凸部の接触により交叉方向の力が発生するようにどちらかに偏心部を形成するという構成を取ることができる（図３参照）。この構成は、２条のねじらせんの軸線を左右にずらせる構成を必要としない点で前記の例１と異なり、例２とは一致している。またテーパーねじを使用しない点でも前記の例１、例２のものと相違しているが、それに代えてテーパー凹部を雌ねじ側に用意し、またテーパー凸部を雄ねじ側に用意しているものである。テーパー凹部とテーパー凸部とは接触部に偏心を生じさせる構成を持つことにより螺合の最終過程において、ねじらせんの軸線に対して交叉方向の力が発生し、締め付けトルク増大に伴い徐々にねじ山が潰される傾向となり緩み止めが形成される。
【発明の効果】
【００１２】
本発明は上記のように構成され、かつ作用するものであるから、ねじの締め付けに必要な時間と労力を著しく削減することが可能となり、また部品点数の増加や取り付けの手間の増大なしに緩み止め効果を発揮し得るようになり、また、インパクトレンチを使用しても使用しなくても能率良く、安全にねじの締め付け作業を行うことができるという効果を奏する。
【発明を実施するための最良の形態】
【００１３】
以下図示の実施形態により本発明を詳細に説明する。図１はコンクリートに埋設して使用するインサート部材１１と、これと組み合わされる相手部材１２とから成るコンクリート用インサート１０の例１を示しており、インサート部材１１は、１ピッチの間に２条のねじらせん１５、１６を有する２条ねじから成る雌ねじ１３を有しており、相手部材１２は上記の雌ねじ１３と螺合可能な雄ねじ１４を有している。上記の雌ねじ１３について
は、２条のねじらせん１５、１６の軸線Ｃ，Ｄを雌ねじ１３、雄ねじ１４の螺合を維持できる範囲内で左右にわずかにずらせており、かつその内の雌ねじ１３のねじらせん１６
を、ねじ込み方向に向かってねじ径が次第に小径となるテーパーねじとしている。雄ねじ１４の多条ねじはねじらせんが全部一致しており、その軸線はＥで示す。
【００１４】
このように構成されている例１では、雄ねじ１４を雌ねじ１３に導入口から差し込み、雌ねじ１３に対して雄ねじ１４を回転させて行くと、図１の縦断面図の螺合状態となる。螺合は、雌ねじ１３の一方のねじらせん１５の軸線Ｃと，他方のねじらせん１６の軸線Ｄの中心と、雄ねじ１４の軸線Ｅとが一致した一番負荷のかからない状態で進行する。雄ねじ１４が進行するにつれて、他方のねじらせん１６を構成しているテーパーねじのねじ山と雄ねじ１４の谷（１）、（２）、（３）とが徐々に接触し、接触時に働く軸線Ｅに対して交叉方向の力は（イ）、（ロ）、（ハ）と徐々に増大し、本来のボルトの軸力に加えて軸線に対して交叉方向の力（ホ）、（へ）が発生し、徐々にねじ山が潰される傾向或いはねじ山とねじの谷が相互に喰い込む状態となり、緩み止めの効果が発揮される。
【００１５】
図２は、図１と同様にインサート部材２１と、相手部材２２とから成り、インサート部材２１に雌ねじ２３、相手部材２２に雄ねじ２４を有している例２である。雌ねじ２３、雄ねじ２４は１ピッチの間に２条のねじらせん２５、２６を有する２条ねじであり、雌ねじ２３のねじらせんはねじ込み方向に向かってねじ径が次第に小径となるテーパーねじとしている。図２においてθはテーパーねじのねじ径の減衰して行く角度を示しており、減衰は雌ねじ２３の導入口から数山入ったところから開始する。このように構成されている例２では、雄ねじ２４を雌ねじ２３に導入口から差し込み、雌ねじ２３に対して雄ねじ２４を回転させて行くと、図２の縦断面図の状態となる。螺合は、雌ねじ２３の軸線と雄ねじ２４の軸線とが一致した状態で進行し、テーパーねじから成る雌ねじ２３の山谷と非テーパーねじから成る雄ねじ２４の山谷とが噛み合うようになると、徐々に接触圧力が高まり、ねじ山とねじの谷が相互に喰い込む状態となり、ねじ山が次第に潰される傾向となって、緩み止め効果が発揮される。
【００１６】
図３は、雌ねじ３３を有するインサート部材３１と、それに螺合可能な雄ねじ３４を有する相手部材３２とから成る、本発明のコンクリート用インサート３０の例３である。例３における雌ねじ３３、雄ねじ３４は多条ねじで構成され、緩み止め手段として、雌ねじ３４の導入口３７の外側にテーパー凹部を形成し、雄ねじ側には、テーパー凸部から成る円錐状基部３８を形成し、導入口３７と円錐状基部３８の接触により交叉方向の力が発生するように偏心部を形成するもので、例３では円錐状基部３８の一部に偏心部３９を形成している。故に、図３に示すように、雄ねじ３４を雌ねじ３３に導入口から差し込み、回転させて行くと、雄ねじ３４の円錐状基部３８の偏心部３９が雌ねじ側のテーパー凸部から成る導入口３７に接触し、インサート部材３１に螺合している相手部材３２に、ねじらせんの軸線Ｃに対して交叉方向の力が生じて、緩み止め効果が発揮される。なお、偏心部３９は導入口側のテーパー凹部に設けても同じ効果を得ることができる。
【００１７】
図４以下は、本発明に係るコンクリート用インサートの具体的な使用例を説明するものである。図４は、前記の例１〜３のどれかを適用した本発明におけるインサート部材４１をアンカーボルトとしてコンクリート４６に後付けしたもので、インサート部材４１には長目の相手部材４２が予めねじ込まれて、ロケット部４５を使用しており、多条ねじから成る雄ねじ４４部分がコンクリート面から突出している。この雄ねじ４４にはアングルで示された取り付け部材４９の孔部４８を通し、多条ねじから成る雄ねじ４４に螺合可能な多条ねじナット４７を用いて締め付けるもので、アングルなどの迅速なねじ止めが可能になる。
【００１８】
図５は、図４の例１と同様に取り付け部材５９の取り付けのために使用可能なインサート部材５１と相手部材５２を有する使用例２であり、インサート部材５１が後付けではなくコンクリート５６に埋設されている点で異なるのみで、雌ねじ５３、雄ねじ５４で螺合するとともに、他の構成は共通している。図６は本発明におけるインサート部材６１をコンクリート６６に埋設し、その多条ねじから成る雌ねじ６３に、雄ねじ６４を螺合させて相手部材６２を接続している使用例３を示している。相手部材６２は、コンクリート打ち継ぎ用のアンカーボルトとして使用されることを予定するものである。使用例２、３においても前記例１〜３のどれでも適用することができる。
【００１９】
図７は、図６のインサート部材７１を埋設式から、後付け式の変更した使用例４であ
り、図４と図５の関係に類似している。インサート部材７１と相手部材７２は、共に、多条ねじから成る雌ねじ７３、雄ねじ７４を有しており、それらの螺合により迅速に結合可能である。相手部材７２はコンクリート打ち継ぎ用その他任意の用途に使用され、後付けのためロケット７５を使用している。なお、使用例１〜４については、共通する構成について、下１桁が一致する符号を使用して同じ構成であることを図示し、かつ符号の説明において総括的に扱い説明を省略する。
【００２０】
本発明に係るコンクリート用インサート１０、２０、３０、４０、５０、６０、７０は多条ねじから成るので、ねじ込みに必要な時間を１条ねじとの比較において少なくとも２分の１に短縮することが可能となり、このため手回し作業によるねじ締め作業においても迅速に作業を進めることが可能となる。また、雌ねじ、雄ねじの螺合の過程において螺合部分に食い込み力が発生することにより緩み止め手段が形成され、また緩み止め手段形成の際にトルクが徐々に高まるので作業上の安全性も高く、従来のように緩み止め部材を別途必要とせず、その取り付けの手間も不必要である。
【図面の簡単な説明】
【００２１】
【図１】本発明に係るコンクリート用インサートの実施形態の例１を示す平面図と縦断面図。
【図２】同じく例２を示す平面図と縦断面図。
【図３】同じく例３を示す縦断面図。
【図４】本発明の使用例１を示す断面図。
【図５】本発明の使用例２を示す断面図。
【図６】本発明の使用例３を示す断面図。
【図７】本発明の使用例４を示す断面図。
【符号の説明】
【００２２】
１０、２０、３０、４０、５０、６０、７０  本発明に係るインサート
１１、２１、３１、４１、５１、６１、７１  インサート部材
１２、２２、３２、４２、５２、６２、７２  相手部材
１３、２３、３３、４３、５３、６３、７３  雌ねじ
１４、２４、３４、４４、５４、６４、７４  雄ねじ
１５、１６、２５、２６  ねじらせん
３７  導入口
３８  円錐状基部
３９  偏心部
４６、５６、６６、７６  コンクリート
【図１】
2006249836.tif 000003
【図２】
2006249836.tif 000004
【図３】
2006249836.tif 000005
【図４】
2006249836.tif 000006
【図５】
2006249836.tif 000007
【図６】
2006249836.tif 000008
【図７】
2006249836.tif 000009